(57)【要約】【課題】  ベースに立設された支柱を有するテレビ台の支柱に容易に着脱することができる棚板を提供する。【解決手段】  床面に載置されるベース１０１、ベース１０１に対して垂直に立設される支柱１１０、及び支柱１１０に設けられてテレビ１２０が取り付けられるテレビ取付部１０４を備えるテレビ台１００の支柱１１０に取り付けられる棚板１０において、支柱１１０が後方から嵌合する凹部３０が形成された棚板本体部２０と、凹部３０を閉止する閉蓋部４０とを備える。【選択図】  図２
2019097812.tif 000002
【特許請求の範囲】
【請求項１】
床面に載置されるベース、該ベースに立設される支柱、及び該支柱に設けられてテレビが取り付けられるテレビ取付部を備えるテレビ台の前記支柱に取り付けられる棚板において、
前記支柱が後方から嵌合する凹部が形成された棚板本体部と、前記凹部を閉止する閉蓋部とを備えることを特徴とする棚板。
【請求項２】
前記閉蓋部を前方に向かって押圧する押圧力付与部を備えることを特徴とする請求項１に記載の棚板。
【請求項３】
前記押圧力付与部は、前記閉蓋部に係止する係止部と、該係止部が前記閉蓋部に係止した状態で該係止部を前方に付勢する付勢部とを備えることを特徴とする請求項２に記載の棚板。
【請求項４】
前記閉蓋部は、ヒンジにより前記棚板本体部に揺動自在に取り付けられていることを特徴とする請求項１乃至３のいずれか１項に記載の棚板。
【請求項５】
前記凹部に嵌合した支柱を押圧する押し板が前記凹部に設けられていることを特徴とする請求項１乃至４のいずれか１項に記載の棚板。
【請求項６】
前記閉蓋部に第一の挿通孔が形成されるとともに、前記閉蓋部が前記凹部を閉止した状態で前記第一の挿通孔に重なる第二の挿通孔が前記棚板本体部に形成され、
前記閉蓋部は、前記凹部を閉止した状態で、前記第一の挿通孔及び前記第二の挿通孔を前記閉蓋部の開閉方向と略直交する方向に挿通するネジにより前記棚板本体部にネジ止めされることを特徴とする請求項５に記載の棚板。
【請求項７】
前記棚板本体部は、幅方向に伸縮可能であることを特徴とする請求項１乃至６のいずれか１項に記載の棚板。
【発明の詳細な説明】
【技術分野】
【０００１】
本発明は、棚板、特に、床面に載置されるベース、ベースに対して垂直に立設される支柱、及び支柱に設けられてテレビが取り付けられるテレビ取付部を備えるテレビ台の支柱に取り付けられる棚板に関する。
【背景技術】
【０００２】
薄型で大型のテレビの昨今の需要の高まりにつれて、テレビを室内の壁面に近接させて配置したいという要望が高まっている。この種のテレビを壁面に近接させて配置する際に用いられるテレビ台としては、例えば、ベースに立設された支柱の上部でテレビを支持することが可能なテレビ台が知られている。【０００３】
この種のテレビ台においては、例えば、ＤＶＤレコーダやブルーレイレコーダ等の映像の録画再生機器や、これらのリモコンといった周辺機器を載置することができる棚板が配設されることがある。【０００４】
特許文献１には、テレビ台のベースに立設された支柱の上下方向において無段階で取り付けられる棚板が開示されている。この棚板には、支柱を挿通する挿通孔が形成されており、挿通孔を介して棚板を支柱に挿通して、上下方向における任意の高さ位置で棚板を支柱に取り付けることができる。【０００５】
このように、支柱に挿通した棚板の取付位置を支柱の上下方向において自由に設定することができることから、使用の際の汎用性が向上する。
【先行技術文献】
【特許文献】
【０００６】
【特許文献１】実用新案登録第３２０２１４０号公報
【発明の概要】
【発明が解決しようとする課題】
【０００７】
特許文献１の棚板によれば、使用者の要望に応じて、棚板の取付位置を支柱の上下方向において自由に設定することができる。【０００８】
その一方で、特許文献１の棚板は、棚板に形成された挿通孔を介して棚板を支柱に挿通して支柱に取り付けることから、周辺機器の増設によって棚板をテレビ台に追加して取り付けるような場合や、周辺機器の撤去により棚板が不要となって、いったん取り付けた棚板をテレビ台から取り外すような場合には、支柱の上部に支持されたテレビを取り外す必要がある。【０００９】
このように、棚板の着脱の際にテレビをテレビ台から取り外すこととなると、棚板の取り付けあるいは取り外しの作業負担が増大することが懸念される。特に、テレビが大型である場合には、棚板の取り付けあるいは取り外しの作業負担の増大が顕著である。【００１０】
本発明は、上記事情に鑑みてなされたものであり、ベースに立設された支柱を有するテレビ台の支柱に容易に着脱することができる棚板を提供することを課題とするものである。
【課題を解決するための手段】
【００１１】
上記課題を解決するための、本発明に係る棚板は、床面に載置されるベース、ベースに立設される支柱、及び支柱に設けられてテレビが取り付けられるテレビ取付部を備えるテレビ台の支柱に取り付けられる棚板において、支柱が後方から嵌合する凹部が形成された棚板本体部と、凹部を閉止する閉蓋部とを備えることを特徴とするものである。【００１２】
この棚板によれば、テレビ台に取り付けられたテレビをテレビ台から取り外すことなく、凹部にテレビ台の支柱を嵌合させることができる。さらに、棚板が閉蓋部を前方に向かって押圧する押圧力付与部を備えることにより、凹部にテレビ台の支柱を嵌合させた状態で、閉蓋部で凹部を閉止して押圧力付与部で棚板本体部を棚板本体部の前端縁側に押圧させて、棚板をテレビ台の支柱に取り付けることができる。【００１３】
したがって、例えば、テレビの周辺機器の増設によって棚板をテレビ台に追加して取り付ける場合等、既にテレビが取り付けられて使用されているテレビ台に棚板を容易に取り付けることが可能となる。【００１４】
一方、例えば、テレビの周辺機器の撤去によって棚板が不要となる場合等、既にテレビが取り付けられて使用されているテレビ台からの棚板の取り外しも容易になる。【００１５】
この棚板の押圧力付与部は、閉蓋部に係止する係止部と、係止部が閉蓋部に係止した状態で係止部を棚板本体部の前端縁側に付勢する付勢部と、を備えていてもよい。【００１６】
これにより、凹部に支柱を嵌合させた状態において、閉蓋部で凹部を閉止して係止部を閉蓋部に係止させて付勢部で係止部を棚板本体部の前端縁側に付勢させれば、棚板本体部を棚板本体部の前端縁側に押圧させることができる。【００１７】
さらに、棚板の閉蓋部は、ヒンジを介して棚板本体部に揺動自在に取り付けられていれば、棚板を着脱する際には、閉蓋部を凹部に対して揺動させて開閉することによって、容易に着脱することができる。これにより、棚板をテレビ台の支柱に取り付ける際の作業性が向上する。【００１８】
しかも、棚板は、棚板本体部を棚板本体部の後端縁側に向かって支柱に押圧する押し板が凹部に設けられていれば、この押し板で、棚板本体部を棚板本体部の後端縁側に向かって支柱に押圧することによって、棚板をテレビ台に強固に取り付けることができる。このとき、閉蓋部に第一の挿通孔が形成されるとともに、閉蓋部が凹部を閉止した状態で第一の挿通孔に重なる第二の挿通孔が棚板本体部に形成され、閉蓋部が、凹部を閉止した状態で、第一の挿通孔及び第二の挿通孔を閉蓋部の開閉方向と略直交する方向に挿通するネジにより棚板本体部にネジ止めされていれば、押し板により閉蓋部に後方に向けた押圧力が作用しても、閉蓋部が棚板本体部にネジ止めされているので閉蓋部が開放されにくく、かつ、そのネジ止めしているネジが閉蓋部の開閉方向と略直交する方向に第一の挿通孔及び第二の挿通孔を挿通しているのでネジも緩みにくい。
【発明の効果】
【００１９】
この発明によると、テレビ台に取り付けられたテレビをテレビ台から取り外すことなく、棚板をテレビ台の支柱に容易に着脱することができる。
【図面の簡単な説明】
【００２０】
【図１】本発明の実施の形態に係る棚板及び棚板が取り付けられるテレビ台の概略を説明する正面側からの斜視図である。
【図２】図１の棚板及びテレビ台の概略を説明する背面側からの斜視図である。
【図３】図１の棚板の概略を説明する斜視図である。
【図４】図３の矢線Ａから見た棚板の底面図である。
【図５】図４の押圧力付与部の概略を説明する図である。
【図６】図４の押圧力付与部の使用方法を示し、（ａ）は係止部のフックへの係止を説明する図、（ｂ）は付勢部の取付部への当接による係止部の固定と閉蓋部の閉止を説明する図である。
【図７】図１の棚板がテレビ台の支柱に取り付けられた状態の概略を示す底面図である。
【図８】本発明の他の実施の形態に係る棚板の概略を説明する底面図である。
【図９】本発明の他の実施の形態に係る棚板の概略を説明する底面図である。
【図１０】本発明の他の実施の形態に係る棚板の概略を説明する斜視図である。
【図１１】本発明の他の実施の形態に係る棚板の概略を説明する底面図である。
【図１２】本発明の他の実施の形態に係る棚板を示し、（ａ）は棚板本体部が伸長した状態の概略を示す斜視図、（ｂ）は棚板本体部が収縮した状態の概略を示す斜視図である。
【図１３】図１２の棚板を示し、（ａ）は閉蓋部が開いた状態の概略を示す斜視図、（ｂ）は閉蓋部が閉じてネジ止めされた状態の概略を示す斜視図である。
【発明を実施するための形態】
【００２１】
次に、図１〜図７を参照して、本発明の実施の形態について説明する。
【００２２】
棚板は、本実施の形態では、直立型のテレビ台に取り付けられ、取り付けられた状態で、ＤＶＤレコーダやブルーレイレコーダあるいはこれらのリモコンといったテレビの周辺機器が載置されるものである。この棚板の説明に先立って、棚板が取り付けられる直立型のテレビ台の概略を説明する。
【００２３】
図１は、本実施の形態に係る棚板及び棚板が取り付けられるテレビ台の概略を説明する正面側からの斜視図、図２は、棚板及び棚板が取り付けられるテレビ台の概略を説明する背面側からの斜視図である。
【００２４】
図示のように、テレビ台１００は、床面に載置される板状のベース１０１、ベース１０１に対して垂直に立設される垂直部１０２、垂直部１０２に取り付けられて垂直部１０２をテレビ台１００の正面側から部分的に被覆するカバー１０３、及び垂直部１０２の上部に設けられたテレビ取付部１０４を主要構成として備える。
【００２５】
この垂直部１０２及びカバー１０３によって、本実施の形態では、支柱１１０が構成される。
【００２６】
テレビ台１００のテレビ取付部１０４には、テレビ１２０が取り付けられる。これにより、テレビ１２０がテレビ台１００に支持される。
【００２７】
一方、本実施の形態では、テレビ台１００の支柱１１０に棚板１０が取り付けられる。
【００２８】
図３は、棚板１０の概略を説明する斜視図であり、図４は、図３の矢線Ａから見た棚板１０の底面図である。図示のように、棚板１０は、棚板本体部２０、棚板本体部２０に形成された凹部３０、凹部３０を開閉するように揺動する閉蓋部４０、凹部３０を閉止した閉蓋部４０を前方に（テレビ台１００の支柱１１０に）向かって押圧する押圧力付与部であるスナップ錠６０を主要構成として備える。
【００２９】
棚板本体部２０は、前端縁２０ａ、後端縁２０ｂ及び前端縁２０ａと後端縁２０ｂとを連続させる両端縁２０ｃ、２０ｃを有し、これら前端縁２０ａ、後端縁２０ｂ及び両端縁２０ｃ、２０ｃを介して上面部２１及び側面部２２が区画形成される。
【００３０】
上面部２１は、本実施の形態では平板状に形成され、後端縁２０ｂの略中央部分が前端縁２０ａに向かって凹状となった凹状部２１ａが形成される。
【００３１】
側面部２２は、前端縁２０ａを介して上面部２１に対して立設する前部側面部２２Ａ、凹状部２１ａを介して不連続となる後端縁２０ｂを介して上面部２１に対して立設する互いに不連続の後部第１側面部２２Ｂａ、後部第２側面部２２Ｂｂ、及び両端縁２０ｃ、２０ｃを介して上面部２１に対して立設する側部側面部２２Ｃ、２２Ｃを備える。
【００３２】
さらに側面部２２は、凹状部２１ａを介して上面部２１に対して立設するとともに、不連続となる後部第１側面部２２Ｂａと連続する仕切部２２Ｄを備える。
【００３３】
この仕切部２２Ｄは、側部側面部２２Ｃ、２２Ｃと並行するとともに後述するヒンジ５０の受部５１を介して後部第１側面部２２Ｂａと連続する第１縦仕切部２２Ｄａ、第１縦仕切部２２Ｄａと対向するとともに側部側面部２２Ｃ、２２Ｃと並行する第２縦仕切部２２Ｄｂ、及び第１縦仕切部２２Ｄａと第２縦仕切部２２Ｄｂとの間で前部側面部２２Ａと並行する横仕切部２２Ｄｃを備える。
【００３４】
この仕切部２２Ｄの第２縦仕切部２２Ｄｂは、後部第２側面部２２Ｂｂと間隙αを介して後部第２側面部２２Ｂｂと不連続に形成されるとともに、後述する閉蓋部４０の本体部４１の厚みと同寸に設定された間隙ｄをおいて後端縁２０ｂから離間して形成される。
【００３５】
上面部２１の凹状部２１ａと側面部２２の仕切部２２Ｄとによって、本実施の形態では凹部３０が構成される。
【００３６】
閉蓋部４０は、凹部３０を開閉するように揺動するものであり、本実施の形態では、長尺で板状の本体部４１、本体部４１の一端４１ａに設けられたヒンジ５０を構成する軸部５２、本体部４１の他端４１ｂに設けられたフック４３を備える。
【００３７】
この閉蓋部４０の本体部４１の一端４１ａに設けられた軸部５２が、後部第１側面部２２Ｂａと第１縦仕切部２２Ｄａとの間に形成された受部５１に係合されてヒンジ５０が形成され、このヒンジ５０により閉蓋部４０が凹部３０に対して開閉自在に揺動する。
【００３８】
閉蓋部４０が揺動して凹部３０を閉止すると、閉蓋部４０の本体部４１の他端４１ｂ側が仕切部２２Ｄの第２縦仕切部２２Ｄｂの端部に当接する。このとき、閉蓋部４０の本体部４１の厚みと間隙ｄとは同寸に設定されていることから、閉蓋部４０が第２縦仕切部２２Ｄｂに当接すると、閉蓋部４０と後部第１側面部２２Ｂａ及び後部第２側面部２２Ｂｂとが同一面となる。
【００３９】
スナップ錠６０は、本実施の形態では、第２縦仕切部２２Ｄｂにおける後端縁２０ｂ側に設けられている。
【００４０】
図５は、スナップ錠６０の概略を説明する図である。図示のように、スナップ錠６０は、第２縦仕切部２２Ｄｂに取り付けられる取付部６１、取付部６１に対して回動可能に形成された付勢部６２、及び付勢部６２に設けられて付勢部６２に対して相対的に回動する係止部６３を備える。
【００４１】
付勢部６２は、押圧力解除範囲Ｌ及び押圧力付与範囲Ｔの範囲で回動する。この付勢部６２が押圧力解除範囲Ｌ内に位置する際に、閉蓋部４０を第２縦仕切部２２Ｄｂに当接させて閉蓋部４０の本体部４１の他端４１ｂに設けられたフック４３に係止部６３を係止させ、この状態で付勢部６２を押圧力付与範囲Ｔへと回動させると、係止部６３が、矢線Ｆで示す棚板本体部２０の前端縁２０ａ側に付勢される。
【００４２】
次に、本実施の形態に係る棚板１０をテレビ台１００に取り付ける場合の概略を説明する。
【００４３】
図６は、スナップ錠６０の使用方法を説明する図であり、（ａ）は付勢部６２が押圧力解除範囲Ｌから押圧力付与範囲Ｔに遷移する状態の概略を説明する図、（ｂ）は付勢部６２が押圧力付与範囲Ｔに位置決めされた状態の概略を説明する図である。
【００４４】
まず、閉蓋部４０が開蓋されて凹部３０が開放された状態において、凹部３０にテレビ台１００の支柱１１０を後方から嵌合させて、棚板１０を支柱１１０の上下方向の任意の高さ位置に位置決めする。
【００４５】
棚板１０を支柱１１０の任意の高さ位置に位置決めした後、閉蓋部４０を閉方向に揺動させて閉蓋部４０が仕切部２２Ｄに当接すると、閉蓋部４０によって凹部３０が閉止される。
【００４６】
このとき、図６（ａ）で示すように、押圧力解除範囲Ｌ及び押圧力付与範囲Ｔの範囲内の自由位置にある付勢部６２を押圧力解除範囲Ｌに向かって回動させながら、係止部６３を閉蓋部４０の本体部４１の他端４１ｂに設けられたフック４３に係止させる。
【００４７】
係止部６３をフック４３に係止させた状態において、自由位置にあるスナップ錠６０の付勢部６２を押圧力付与範囲Ｔに向かって回動させて、図６（ｂ）で示すように、付勢部６２を取付部６１に当接させる。
【００４８】
これにより、係止部６３が前方に（棚板本体部２０の前端縁２０ａ側に）付勢されて、閉蓋部４０が矢線Ｆで示す棚板本体部２０の前端縁２０ａ側に向かって支柱１１０に押圧されて、支柱１１０の上下方向における任意に設定された高さ位置において、棚板１０が取り付けられて固定される。
【００４９】
なお、図７は、棚板１０がテレビ台１００の支柱１１０に取り付けられた状態の概略を示す底面図である。
【００５０】
このように、本実施の形態の棚板１０によれば、テレビ台１００に取り付けられたテレビ１２０を取り外すことなく、凹部３０を開放させた状態で凹部３０に支柱１１０を嵌合させることができる。
【００５１】
このときに、閉蓋部４０で凹部３０を閉止してスナップ錠６０で係止部６３を棚板本体部２０の前端縁２０ａ側に付勢させることによって、閉蓋部４０を棚板本体部２０の前端縁２０ａ側に向かって支柱１１０に押圧させて、棚板１０をテレビ台１００の支柱１１０に取り付けることができる。
【００５２】
したがって、例えば、テレビの周辺機器の増設によって棚板１０をテレビ台１００に追加して取り付ける場合等、既にテレビが取り付けられて使用されているテレビ台に容易に取り付けることが可能となる。
【００５３】
一方、例えば、テレビの周辺機器の撤去によって棚板１０が不要となる場合等、既にテレビが取り付けられて使用されているテレビ台からの棚板１０の取り外しも容易になる。
【００５４】
さらに、本実施の形態の棚板１０は、閉蓋部４０に係止する係止部６３、及び係止部６３を棚板本体部２０の前端縁２０ａ側に付勢する付勢部６２を有する既存のスナップ錠６０によって、閉蓋部４０を棚板本体部２０の前端縁２０ａに向かって簡易に支柱１１０に押圧させることができる。しかも、汎用のスナップ錠６０を用いることから、低廉かつ容易に調達することができる。
【００５５】
閉蓋部４０は、ヒンジ５０を介して棚板本体部２０に揺動自在に取り付けられていることから、棚板１０を着脱する際には、閉蓋部４０を凹部３０に対して開閉することによって、容易に着脱することができる。したがって、棚板１０をテレビ台１００の支柱１１０に取り付ける際の作業性が向上する。
【００５６】
なお、本発明は上記実施の形態に限定されることはなく、発明の趣旨を逸脱しない範囲で種々変更可能である。例えば、図８で示すように、仕切部２２Ｄの横仕切部２２Ｄｃに矩形立方体状の押し板６５の一辺を当接させて、凹部３０内に押し板６５を配置することができる。
【００５７】
この押し板６５は、横仕切部２２Ｄｃを挿通する２本のボルト６５ａ、６５ａによって凹部３０内に保持される。これにより、凹部３０にテレビ台１００の支柱１１０を嵌合させてスナップ錠６０で閉蓋部４０を棚板本体部２０の前端縁２０ａ側に向かって支柱１１０に押圧する際に、ボルト６５ａ、６５ａを締め付けることによって、押し板６５を後方に（棚板本体部２０の後端縁２０ｂ側に）向かって支柱１１０に押圧することができる。
【００５８】
したがって、スナップ錠６０で棚板１０をテレビ台１００の支柱１１０に押圧しつつ、押し板６５で棚板１０をテレビ台１００の支柱１１０に押圧することで、押圧力を増大させることができることから、棚板１０をテレビ台１００の支柱１１０に強固に取り付けることができる。
【００５９】
押し板６５による押圧力の付与は、ボルト６５ａ、６５ａによる締め付けに強弱をつけることによって、微細に調整することができる。
【００６０】
上記実施の形態では、スナップ錠６０で閉蓋部４０を棚板本体部２０の前端縁２０ａ側に向かって支柱１１０に押圧することを説明したが、例えば図９で示すように、スナップ錠６０に代えて、ネジ７０を用いて閉蓋部４０を棚板本体部２０の前端縁２０ａ側に向かって支柱１１０に押圧することができる。
【００６１】
ネジ７０は、第２縦仕切部２２Ｄｂの端部から外方に向かって折曲して形成された取付部２２Ｄｄに形成されたネジ孔７０ａに係止する。一方、閉蓋部４０には、フック４３に代えて取付孔４４が形成され、閉蓋部４０が閉蓋されると、取付孔４４とネジ孔７０ａとが連通する。
【００６２】
閉蓋部４０と取付部２２Ｄｄとをネジ７０で締め付けることによって、閉蓋部４０を棚板本体部２０の前端縁２０ａ側に向かって支柱１１０に押圧することができる。
【００６３】
さらに、図１０及び図１１で示すように、ピン８０を用いて閉蓋部４０を棚板本体部２０の前端縁２０ａ側に向かって支柱１１０に押圧することができる。
【００６４】
ピン８０は、後部第２側面部２２Ｂｂに形成された受部８０ａと、閉蓋部４０の他端４１ｂに形成された軸部４５とが係合して形成された係合部８１に挿通されるものである。
【００６５】
ピン８０が係合部８１に挿通されることによって、閉蓋部４０を棚板本体部２０の前端縁２０ａ側に向かって支柱１１０に押圧することができる。
【００６６】
あるいは、図１２で示すように、棚板本体部２０は幅方向に伸縮可能であってもよい。図１２において、棚板本体部２０は、中央部２０Ａと、スライド部２０Ｂ、２０Ｃとを備え、スライド部２０Ｂ、２０Ｃは、互いに連動して幅方向にスライドすることにより、中央部２０Ａから左右に延伸し、又は、中央部２０Ａに格納される。棚板本体部２０にサウンドバーのような横長のスピーカー等を設置する場合には、スライド部２０Ｂ、２０Ｃを延伸させて棚板本体部２０を設置機器の寸法に合わせて幅方向に伸長させればよく、棚板本体部２０に横長の機器を設置しない場合には、スライド部２０Ｂ、２０Ｃを格納させて棚板本体部２０を幅方向に収縮させ、棚板本体部２０の幅方向の余剰を切り詰めて美観の向上を図ればよい。
【００６７】
図１２の棚板１０は、図１３で示すように、スナップ錠６０に代えて、ネジ９０を用いて閉蓋部４０をネジ止めしてもよい。すなわち、閉蓋部４０の本体部４１には、他端４１ｂが前方に折曲されてなる折曲部４５が設けられ、折曲部４５には、挿通孔４６が形成されている。また、棚板本体部２０の中央部２０Ａには、閉蓋部４０が凹部３０を閉止した状態で折曲部４５が当接する当接部２３が設けられ、当接部２３には、挿通孔４６に重なるネジ孔２４が形成され、ネジ９０は、挿通孔４６及びネジ孔２４に挿通されるとともにネジ孔２４に螺合される。これにより、閉蓋部４０が押し板６５の押圧力を支柱１１０を介して受けても、ネジ９０の軸方向が反力の作用方向（前後方向）と合致していない（略直交している）ので、ネジ９０が緩みにくく強度を高めることができる。
【００６８】
上記実施の形態では、閉蓋部４０が、ヒンジ５０を介して棚板本体部２０に揺動自在に取り付けられている場合を説明したが、例えば、閉蓋部４０を揺動自在に棚板本体部２０に取り付けないで、閉蓋部４０を棚板本体部２０とは別体として構成して、棚板本体部２０に閉蓋部４０の差込部を形成して凹部３０を閉止するように構成してもよい。
【００６９】
また、スナップ錠６０の付勢部６２を押圧力付与範囲Ｔに位置決めしてスナップ錠６０の付勢部６２を取付部６１に当接させた状態において、例えば、ネジの頭部分が付勢部６２の端部の一部に重複するようにネジを締めこんで、付勢部６２が押圧力解除範囲Ｌに不意に遷移することを規制するように構成してもよい。
【００７０】
さらに、閉蓋部の閉止状態を維持するために、スナップ錠による係止とネジ止めを併用しても、あるいは、押圧力付与のために、スナップ錠以外の公知の構成を採用してもよい。
【符号の説明】
【００７１】
１０      棚板
２０      棚板本体部
２０ａ    前端縁
２０ｂ    後端縁
２１      上面部
２１ａ    凹状部
２２      側面部
２２Ｂａ  後部第１側面部
２２Ｂｂ  後部第２側面部
２２Ｄ    仕切部
２４      ネジ孔（第二の挿通孔）
３０      凹部
４０      閉蓋部
４３      フック
４６      挿通孔（第一の挿通孔）
５０      ヒンジ
６０      スナップ錠（押圧力付与部）
６２      付勢部
６３      係止部
６５      押し板
９０      ネジ
１００    テレビ台
１０１    ベース
１０４    テレビ取付部
１１０    支柱
１２０    テレビ
【図１】
2019097812.tif 000003
【図２】
2019097812.tif 000004
【図３】
2019097812.tif 000005
【図４】
2019097812.tif 000006
【図５】
2019097812.tif 000007
【図６】
2019097812.tif 000008
【図７】
2019097812.tif 000009
【図８】
2019097812.tif 000010
【図９】
2019097812.tif 000011
【図１０】
2019097812.tif 000012
【図１１】
2019097812.tif 000013
【図１２】
2019097812.tif 000014
【図１３】
2019097812.tif 000015
【国際調査報告】
2019097812.tif 000016
2019097812.tif 000017
2019097812.tif 000018
2019097812.tif 000019